(57)【要約】      （修正有）【課題】スラックス或いはスカート又はこれらに類する衣服へ取り付けたときの見栄えを良くすると共に、当該衣服のウェストサイズを容易に調整することができるアジャスタを提供する。【解決手段】アジャスタ１０は、バックルと、カバー１２と、第１ベルト１３と、第２ベルト１４とからなる。バックルの両端に連結した第１ベルトと第２ベルトを折り返して、再度バックルへ通し、カバー１２の後面側から引き出している。これにより、カバーの左右には、折り返し部２０，２０が形成される。そして、カバーと折り返し部によって蝶結び状のリボンを模した形状が形成され、アジャスタをスラックス１の前あき部２上端近傍へ装着したとき、その見栄えを良くすることができ、折り返し部の大きさを調整することによりアジャスタの長短を調整することができる。【選択図】図４
0003183021.tif 000002
【実用新案登録請求の範囲】
【請求項１】
スラックス或いはスカート又はこれらに類する衣服の前あき部の上端を、ボタンとボタンホール又はフックとフック受け具からなる一対の留め具で留めるボタン式又はフック式の前記衣服へ着脱自在に装着して、前記衣服のウェストサイズを拡張可能にしたアジャスタであって、
当該アジャスタは、互いに平行な一対の外軸、及び当該外軸と平行となるように、前記両外軸の内側に配された互いに平行な一対の中軸を有するバックルと、当該バックルの少なくとも前面を覆うカバーと、一方の前記外軸に基端部を連結し、一方の前記留め具に係合する第１係止部を先端部に有する第１ベルトと、他方の前記外軸に基端部を連結し、他方の前記留め具に係合する第２係止部を先端部に有する第２ベルトとからなり、
前記第１ベルト及び前記第２ベルトを折り返して、前記第１ベルト及び前記第２ベルトの各先端部を、それぞれ前記外軸と前記中軸との間へ、前記バックルの後面側から前面側に向かって通すと共に、前記両中軸の間へ、前記バックルの前面側から後面側に向かって通して、
前記第１ベルト及び前記第２ベルトの各折り返し部分と前記カバーによって蝶結び状のリボンに模した形状を形成するようにしたことを特徴とするアジャスタ。
【請求項２】
前記カバーは、前記バックルの前後両面を覆うと共に、前記バックルの後面に対向する開口部を有し、
当該開口部から、前記第１ベルト及び前記第２ベルトの各先端部を引き出すようにしたことを特徴とする請求項１に記載のアジャスタ。
【請求項３】
前記第１ベルト及び前記第２ベルトの各基端部が、所定の長さにわたって非伸縮性と可撓性を有していることを特徴とする請求項１若しくは請求項２に記載のアジャスタ。
【請求項４】
前記第１係止部及び前記第２係止部には、前記ボタンと前記ボタンホールとからなる前記ボタン式留め具、及び前記フックと前記フック受け具とからなる前記フック式留め具が配されていることを特徴とする請求項１に記載のアジャスタ。
【考案の詳細な説明】
【技術分野】
【０００１】
本考案は、体型変化に伴ってスラックス或いはスカート又はこれらに類する衣服のウェストサイズを拡張するアジャスタに関する。
【背景技術】
【０００２】
従来、妊婦は、妊娠中は腹部の圧迫を避けるためにマタニティウェアを着用している。一方、この妊娠期間中には、妊娠期間外に着用していたスラックス或いはスカート又はこれらに類する衣服のウェストサイズでは合わなくなり、着用することが困難になる。
当該衣服を妊娠期間中乃至は産後体形が元に戻るまで着用することができるようにするため、実用新案登録第３１４６０３１号公報にはパンツ類のウェストサイズ調整補助具が開示されている。
当該ウェストサイズ調整補助具は、伸縮ベルトをスラックス等の前あき部の上端を留めるボタン又はフックに装着してウェストサイズを拡張している。当該伸縮ベルトは、バックルの両側へそれぞれ通している別個のベルトをそれぞれ調整することにより、当該伸縮ベルトの長短を調整している。
【先行技術文献】
【特許文献】
【０００３】
【特許文献１】実用新案登録第３１４６０３１号公報
【考案の概要】
【考案が解決しようとする課題】
【０００４】
しかしながら、上記の伸縮ベルトは、その先端部をそれぞれバックルの後面側から中軸に巻回させてから、当該中軸と外軸との間へバックルの前面側から通している。ここで、特に妊娠後期に至りウェストサイズが大きくなったときに伸縮ベルトを伸ばすと、バックルの両側に引き出されている伸縮ベルトの先端部が非常に短くなる。そのため、伸縮ベルトの伸びしろが短くなると共に当該先端部をつまむことが困難になるので、伸縮ベルトの調整が困難になるおそれがある。
また、上記の伸縮ベルトを短くして使用しているとき、バックルの両側面へ引き出した伸縮ベルトの先端部が垂れ下がることになる。この垂れ下がったベルト先端部は見栄えを著しく損なうが、たとえば、スラックスのベルト通しへ通そうとしても、当該スラックスの前あき部上端は当該伸縮ベルトによって拡開されているため、当該ベルト通しまでの長さが足りなくなるおそれがある。
【０００５】
したがって、本考案が解決しようとする課題は、スラックス或いはスカート又はこれらに類する衣服へ取り付けたときの見栄えを良くすると共に、当該衣服のウェストサイズを容易に調整することができるアジャスタを提供することである。
【課題を解決するための手段】
【０００６】
請求項１に記載のアジャスタは、スラックス或いはスカート又はこれらに類する衣服の前あき部の上端を、ボタンとボタンホール又はフックとフック受け具からなる一対の留め具で留めるボタン式又はフック式の前記衣服へ着脱自在に装着して、前記衣服のウェストサイズを拡張可能にしたアジャスタであって、当該アジャスタは、互いに平行な一対の外軸、及び当該外軸と平行となるように、前記両外軸の内側に配された互いに平行な一対の中軸を有するバックルと、当該バックルの少なくとも前面を覆うカバーと、一方の前記外軸に基端部を連結し、一方の前記留め具に係合する第１係止部を先端部に有する第１ベルトと、他方の前記外軸に基端部を連結し、他方の前記留め具に係合する第２係止部を先端部に有する第２ベルトとからなり、前記第１ベルト及び前記第２ベルトを折り返して、前記第１ベルト及び前記第２ベルトの各先端部を、それぞれ前記外軸と前記中軸との間へ、前記バックルの後面側から前面側に向かって通すと共に、前記両中軸の間へ、前記バックルの前面側から後面側に向かって通して、
前記第１ベルト及び前記第２ベルトの各折り返し部分と前記カバーによって蝶結び状のリボンに模した形状を形成するようにしたことを特徴とする。
【０００７】
請求項２に記載のアジャスタは、請求項１に記載の発明において、前記カバーは、前記バックルの前後両面を覆うと共に、前記バックルの後面に対向する開口部を有し、
当該開口部から、前記第１ベルト及び前記第２ベルトの各先端部を引き出すようにしたことを特徴とする。
【０００８】
請求項３に記載のアジャスタは、請求項１若しくは請求項２に記載の発明において、前記第１ベルト及び前記第２ベルトの各基端部が、所定の長さにわたって非伸縮性と可撓性を有していることを特徴とする。
【０００９】
請求項４に記載のアジャスタは、請求項１に記載の発明において、前記第１係止部及び前記第２係止部には、前記ボタンと前記ボタンホールとからなる前記ボタン式留め具、及び前記フックと前記フック受け具とからなる前記フック式留め具が配されていることを特徴とする。
【考案の効果】
【００１０】
請求項１に記載のアジャスタによれば、第１ベルト及び第２ベルトを折り返した部分とカバーとから、当該アジャスタを蝶結び状のリボンに模した形状に形成した。これにより、アジャスタを短くしたときにベルトの余りが垂れ下がることを無くすことができるので、アジャスタを取り付けたときの見栄えを良くすることができる。
また、アジャスタは、第１ベルト及び第２ベルトの折り返し部分を引っ張れば短く、一方、第１ベルト及び第２ベルトの先端部を引っ張れば長くすることができ、共にベルトを引っ張るだけでアジャスタの長短を調整することができる。そのため、アジャスタの長さを容易に調整することができる。
さらに、第１ベルト及び第２ベルトの基端部はバックルの外軸へ連結したので、ベルトに大きな力が加わった場合であってもベルトがバックルから抜脱することを防止することができる。
【００１１】
請求項２に記載のアジャスタによれば、カバーでバックルの前後両面を覆い、バックルの後面に対向する開口部からベルトの先端部を引き出すようにした。これにより、カバーがバックルからズレることを防止することができるので、アジャスタを取り付けたときの見栄えを良くすることができる。
【００１２】
請求項３に記載のアジャスタによれば、ベルトの基端部に非伸縮性と可撓性をもたせた。
これにより、基端部がカバー内に全て入り込んでしまって、リボン形状が解けてしまうことを防ぐことができる。そのため、リボンを模した形状を維持することができ、アジャスタを取り付けたときの見栄えを良くすることができる。
また、アジャスタを最も短くした場合であっても基端部は外軸と中軸との間から引き出されないので、リボン形状を維持することができる。そのため、第１ベルト及び第２ベルトの折り返し部分を引っ張り易くすることができる。これにより、アジャスタの長さを容易に調整することができる。
【００１３】
請求項４に記載のアジャスタによれば、第１係止部と第２係止部には、ボタン式留め具とフック式留め具の２種類の留め具を配するようにした。これにより、アジャスタに別途加工を施して見栄えを犠牲にすることなく、スラックス或いはスカート又はこれらに類する衣服の前あき部の上端を、ボタンとボタンホール、又はフックとフック受け具からなる一対の留め具で留めるボタン式又はフック式の前記衣服であれば、アジャスタを装着することができる。
【図面の簡単な説明】
【００１４】
【図１】第１実施例に係るアジャスタを示す斜視図である。
【図２】第１実施例に係るアジャスタのバックル及びベルトを示す斜視図である。
【図３】第１実施例に係るアジャスタのカバーを示す斜視図である。
【図４】第１実施例に係るアジャスタをスラックスに取り付けた状態を示す斜視図である。
【図５】第１実施例に係るアジャスタをスラックスに取り付けた状態を示す正面図である。
【実施例１】
【００１５】
本考案に係る実施例を添付した図面にしたがって説明する。
図１はアジャスタを示す斜視図であり、図２は当該アジャスタのカバーを外した状態を示す斜視図であり、図３は当該アジャスタのカバーを示す斜視図である。
【００１６】
アジャスタ１０は、図１に示すように、バックル１１と、カバー１２と、第１ベルト１３と、第２ベルト１４とからなる。
バックル１１は、図２に示すように、矩形状のフレーム１１ａからなる。フレーム１１ａは、互いに平行な外軸１５ａ，１５ｂを有している。そして、フレーム１１ａは、当該外軸１５ａ，１５ｂと平行になるように、当該外軸１５ａ、１５ｂの内側に互いに平行な一対の中軸１６ａ，１６ｂとを有している。
バックル１１は、一方の外軸１５ａと中軸１６ａに第１ベルト１３を係合し、他方の外軸１５ｂと中軸１６ｂに第２ベルト１４を係合している。当該バックル１１を中心として第１ベルト１３、第２ベルト１４の長短をそれぞれ調整することにより、アジャスタ１０は長さを調整することができる。
【００１７】
カバー１２は、図１及び図３に示すように、少なくともバックル１１の前面を覆うように形成されている。本実施例に係るカバー１２は、さらにバックル１１の後面まで覆うように形成されている。そして、当該バックル１１の後面と対向する位置、より詳しくは中軸１６ａ、１６ｂの間と対向する位置に、スリット状の開口部１７が形成されている。当該開口部１７が中軸１６ａ，１６ｂ間に対向しているため、中軸１６ａ，１６ｂ間を挿通させた第１ベルト１３及び第２ベルト１４は容易に引き出すことができる。また、開口部１７はカバー後面側の中央部に形成されていることから、第１ベルト１３又は第２ベルト１４を引っ張ったとき、引っ張った力が等分に分かれ易くなるため、バックル１１がカバー１２からズレたり、抜脱したりすることを防止することができる。そして、カバー１２でバックル１１の前後両面を覆うことにより、バックル１１のフレーム１１ａが露出しないので、アジャスタ１０を取り付けたときの見栄えを良くすることができる。
また、本実施例において、カバー１２は、バックル１１の前後両面を覆うように形成されているが、これに限定されず、たとえば、バックル１１の前面にプラスチック製のカバーを嵌め込んで、当該カバーでバックル１１を覆うようにしても良い。
【００１８】
第１ベルト１３は、基端部を外軸１５ａに連結している。また第２ベルト１４は、基端部を外軸５４ｂに連結している。
これにより、第１ベルト１３又は第２ベルト１４を勢いよく引っ張った時であっても、当該第１ベルト１３及び第２ベルト１４がバックル１１から抜脱することを防止することができる。
第１ベルト１３及び第２ベルト１４は、長手方向に沿って伸縮性を有していないものを使用しても良いが、少なくとも長手方向に沿って伸縮性を有しているものであることが好ましい。
本実施例に係る第１ベルト１３及び第２ベルト１４には、伸縮性を有するゴム紐が編み込まれている。もちろんこれに限定されるものでは無く、第１ベルト１３及び第２ベルト１４を構成する糸の編み方、織り方等によって伸縮性を有するようにしても良い。そして第１ベルト１３及び第２ベルト１４が伸縮性を有するので、使用者が立ったり座ったりして、アジャスタに若干の負荷がかかった場合であっても、当該第１ベルト１３及び第２ベルト１４が伸縮することによってアジャスタ１０が使用者の動きを阻害することを防止することができる。
【００１９】
第１ベルト１３及び第２ベルト１４の基端部１８，１８は長手方向に沿って所定の長さで折り返されている。当該所定の長さは、少なくともバックルの外軸１５ａ，１５ｂと中軸１６ａ，１６ｂとの間の隙間よりも長い。さらに、当該基端部１８，１８の折り返されて重ね合わされた部分には、薄板状の芯材（図示略）が挟み込まれている。当該芯材は布生地、紙、プラスチック、木材等から形成されている。これにより、第１ベルト１３と第２ベルト１４の基端部１８，１８は、所定の長さにわたって非伸縮性と可撓性を有することになる。そのため、第１ベルト１３又は第２ベルト１４を開口部１７から引き出したとき、当該基端部１８，１８が外軸１５ａ，１５ｂと中軸１６ａ，１６ｂとの隙間に入り込んでしまうことを防ぐことができ、後述するリボン形状が解けてしまうことを防ぐことができる。したがって、当該リボン形状を維持してアジャスタ１０を取り付けたときの見栄え良くすることができる。
なお、当該基端部１８，１８の折り返し部分を、引っ張り強度が高く伸びにくい糸で密に縫い合わせて非伸縮性と可撓性を有するようにしても良い。
【００２０】
第１ベルト１３と第２ベルト１４は、バックル１１の左右でそれぞれ折り返されている。そして、図２に示すように、第１ベルト１３と第２ベルトの先端部１９，１９は、バックル１１の後面側から前面側に向かって、外軸１５，１５ｂと中軸１６ａ，１６ｂとの隙間へ通されている。さらに、第１ベルト１３と第２ベルトの先端部１９，１９は、バックル１１の前面側から後面側に向かって、中軸１６ａと中軸１６ｂとの隙間へ通されている。
これにより、バックル１１を収納するカバー１２の左右に、第１ベルト１３と第２ベルト１４を折り返した折り返し部２０，２０がそれぞれ形成される。
ここで、カバー１２を結び目に見立て、カバー１２の左右で折り返されている折り返し部２０，２０を羽に見立てると、アジャスタ１０を蝶結び状のリボンを模した形状と見立てることができる。これにより、アジャスタ１０を取り付けたときの見栄えを良くすることができる。また、折り返し部２０，２０を形成したことにより、アジャスタ１０を短くしたとき、第１ベルト１３又は第２ベルト１４の余りが垂れ下がることを防止することができる。
また第１ベルト１３及び第２ベルト１４を全て引き出し、折り返し部２０，２０が全て引き出された場合であっても、少なくとも第１ベルト１３及び第２ベルト１４の基端部１８，１８は、外軸１５ａ，１５ｂと中軸１６ａ，１６ｂとの隙間に引き込まれることはない。これにより、リボン形状は維持され、アジャスタ１０の見栄えを維持することができる。
そして、対向する中軸１６ａ，１６ｂ間を通した第１ベルト１３及び第２ベルト１４の先端部１９，１９は、カバー１２の開口部１７から引き出され、当該先端部１９，１９は互いに相反する方向へ分けられている。
【００２１】
第１ベルト１３の先端部１９近傍には、第１係止部２１が形成されている。また、第２ベルト１４の先端部１９近傍には、第２係止部２２が形成されている。
第１係止部２１及び第２係止部２２には、複数種類の留め具が設けられている。当該留め具はそれぞれ対を成すように形成されている。
図１に示すように、第１係止部２１には、ボタン２１ａと、フック受け具２１ｂが取り付けられている。また、第２係止部２２には、ボタンホール２２ａが形成され、フック２２ｂが取り付けられている。
ボタン２１ａとボタンホール２２ａは一対のボタン式留め具を形成し、フック２２ｂとフック受け具２１ａは一対のフック式留め具を形成している。
留め具の取り付け方は上記のように限定されるものでは無く、第１係止部２１に、ボタン２１ａとフック２２ｂを取り付け、第２係止部２２に、ボタンホール２１ｂを形成し、フック受け具２２ａを取り付けるようにしても良い。
本実施例では、一対の留め具としてボタン２１ａとボタンホール２２ａからなるボタン式留め具、フック２２ｂとフック受け具２２ａからなるフック式留め具を例示したがこれに限定されず、たとえばスナップ式留め具又はこれらに類する留め具を配しても良い。
複数種類の留め具を取付けたことによって、たとえば、前あき部の上端をボタンで留めているジーパンに使用可能であると共に、当該前あき部上端をフックで留めているスラックス又はスカートのような衣服にも使用可能である。したがって、汎用性に優れたアジャスタ１０を提供することができる。
【００２２】
以上が本実施例に係るアジャスタ１０の構成である。次に、本実施例に係るアジャスタ１０の使用方法を添付した図面にしたがって説明する。
図４は、アジャスタ１０を取り付けたスラックスを穿いたところを示す斜視図であり、図５は、アジャスタ１０の取り付け部分を正面から示した図面である。
【００２３】
本実施例に係るアジャスタ１０は、図４に示すように、スラックス１の前あき部２の上端を留めているボタンからなる一対の留め具を流用して装着されている。具体的には、アジャスタ１０は、第１ベルト１３に取り付けたボタン２１ａをスラックス１側のボタンホール４に係合し、第２ベルト１４に形成したボタンホール２２ａにスラックス１側のボタン３を係合している。
これによりアジャスタ１０は、スラックス１の前あき部２の上端近傍に装着され、スラックス１のウェストサイズを拡張することができる。
【００２４】
スラックス１へ装着されたアジャスタ１０の長さは、次のように調節する。
アジャスタ１０を長くしたい場合には、第１ベルト１３と第２ベルト１４の先端部１９，１９を互いに相反する方向へ引っ張れば良い。これによって、開口部１７から第１ベルト１３と第２ベルト１４が引き出され、アジャスタ１０は長くなる。
一方、アジャスタ１０を短くしたい場合には、第１ベルト１３と第２ベルト１４の折り返し部２０，２０を大きくすればよい、すなわち、当該折り返し部２０，２０へ手指を差し込んで互いに相反する方向へ引っ張れば良い。これにより、開口部１７へ第１ベルト１３と第２ベルト１４は引き戻され、アジャスタ１０は短くなる。
したがって、短くするときも長くするときも同様に、互いに相反する方向に引っ張るだけで、アジャスタ１０の長さを容易に調整するができる。
また、リボン形状を整えたい場合には、カバー１２を押さえ、第１ベルト１３又は第２ベルト１４のいずれか一方の折り返し部２０，２０或いは先端部１９，１９を引っ張って調節すればよい。折り返し部２０，２０の大きさをそれぞれ別個に整えることができるので、アジャスタ１０のリボン形状見栄えを容易に整えることができる。
【００２５】
ここで、アジャスタ１０の使用者が着座したり立ち上がったりしたとき、使用者の動きにあわせて体形が変化し、第１ベルト１３及び第２ベルト１４には負荷がかかる。このとき、第１ベルト１３及び第２ベルト１４は伸縮性を有しているので、使用者の腹部を圧迫するような負担がかかることを防ぐことができる。
【００２６】
本実施例に係るアジャスタ１０によれば、ボタン式又はフック式の留め具をスラックス１側の留め具へ係合することによって、アジャスタ１０をスラックス１の前あき部２の上端へ装着して、スラックス１のウェストサイズを本来のサイズから拡張している。
このとき、図５に示すように、前あき部２下方に形成される逆三角形の窓部５から下着が露出するおそれがある。この場合には、当該窓部５をシャツ・ブラウス等の上衣で覆ったり、スラックス１を穿いた上から腹巻を着用して、窓部５から下着が露出することを防ぐことができる。
また、スラックス１の前あき部２の下方は通常ファスナ又はボタンで閉じられている。このファスナ又はボタンを、出来る限り上まで留めることで、窓部５の大きさを小さくすることができる。この場合に、アジャスタ１０の第１ベルト１３及び第２ベルト１４を幅広にしたり、少なくともバックル１１の前面を覆うカバー１２を窓部５を覆う程度に大きくしたりして、窓部５を覆い隠すようにしても良い。
【符号の説明】
【００２７】
１０…アジャスタ、１１…バックル、１１ａ…フレーム、１２…カバー、１３…第１ベルト、１４…第２ベルト、１５ａ，１５ｂ…外軸、１６ａ，１６ｂ…中軸、１７…開口部、１８…基端部、１９…先端部、２０…折り返し部、
２１…第１係止部、２１ａ…ボタン、２１ｂ…フック受け具、
２２…第２係止部、２２ａ…ボタンホール、２２ｂ…フック、
１…スラックス、２…前あき部、３…スラックス側ボタン、４…スラックス側ボタンホール、５…窓部。
【図１】
0003183021.tif 000003
【図２】
0003183021.tif 000004
【図３】
0003183021.tif 000005
【図４】
0003183021.tif 000006
【図５】
0003183021.tif 000007